(57)【要約】【課題】リング体だけでなく、窪んだコイン投入口部自体にも光を照射できる自動販売機のコイン投入口装置を提供する。【解決手段】コイン投入口部２の外周に配設した透光性を有するリング体７に、コイン投入口部２の湾曲凹状に窪んだ中央部２ｂの一部を覆うように延設された延設部７ｂを一体形成し、光源８からの出射光Ｌの一部が、リング体７の延設部７ｂを通してコイン投入口部２の中央部２ｂに導入され、このコイン投入口部２の中央部２ｂの面に反射して自動販売機の前面側に出射されるように構成した。これにより、光源８からの光Ｌにより、窪んだコイン投入口部２自体も明るく照らされるため、暗い環境でも利用者がコイン投入口２ａを良好に視認できる。【選択図】    図４
2004157791.tif 000002
【特許請求の範囲】
【請求項１】
中央箇所が湾曲凹状に窪み、この箇所にコイン投入口が開口されているコイン投入口部の外周に、透光性を有するリング体を配設し、
このリング体に、コイン投入口部の湾曲凹状に窪んだ部分の少なくとも一部を覆うように延設された延設部を一体形成し、
前記リング体内にこのリング体を発光させる光源を配設し、
前記光源からの出射光の一部が、前記リング体の延設部を通してコイン投入口部の湾曲凹状部分に導入され、このコイン投入口部の湾曲凹状部分の面に反射して自動販売機の前面側に出射されるように構成したことを特徴とする自動販売機のコイン投入口装置。
【請求項２】
光源がコイン投入口部における外周部の手前位置に配設されていることを特徴とする請求項１に記載の自動販売機のコイン投入口装置。
【請求項３】
光源が複数設けられ、これらの光源が、リング体に内装される１枚の円形の基板に取り付けられ、これらの基板および光源がコイン投入口部における外周部の手前側位置に配設されていることを特徴とする請求項２に記載の自動販売機のコイン投入口装置。
【発明の詳細な説明】
【０００１】
【発明の属する技術分野】
本発明は、自動販売機のコイン投入口装置に関するものである。
【０００２】
【従来の技術】
図５に示すように、自動販売機の前面扉１における接客面１ａには、硬貨を投入するコイン投入口２ａが形成されたコイン投入口部２や、投入した硬貨や紙幣を返却させるための返金レバー３などが設けられている。また、図６に示すように、コイン投入口部２として、硬貨をコイン投入口２ａに導入させ易くするために、その中央箇所が湾曲凹状に窪ませた形状にしたものは既に知られている。
【０００３】
また、夜間のような暗いときでもコイン投入動作の利便性を高める手法の１つとして、コイン投入口部２の箇所が識別し易いように、図７（ａ），（ｂ）に示すように、コイン投入口部２の周囲に透光性を有するリング体４を配設し、このリング体４内にＬＥＤなどからなる複数の光源５を設け、この光源５からの光でリング体４を光らせるように構成したものが、特開平１１−１２０４１７号公報（特許文献１）や特開平１０−２８９３５１号公報（特許文献２）に開示されている。
【０００４】
なお、図７（ｂ）（特許文献１における図１）に示しているように、前記光源５は、リング体４内におけるコイン投入口部２よりも後方の位置に配設されている（ただし、特許文献２においては光源５の前後方向の位置は不明である）。
【０００５】
【特許文献１】
特開平１１−１２０４１７号公報
【０００６】
【特許文献２】
特開平１０−２８９３５１号公報
【０００７】
【発明が解決しようとする課題】
しかしながら、図７（ｂ）に示されているような構成によれば、光源５がコイン投入口部２よりも後方の位置に配設されているため、暗い環境において、光源５から出射される光によりリング体４、すなわちコイン投入口部２の外周側の箇所は光って視認しやすいものの、コイン投入口部２自体については照明されず、状況によっては、コイン投入口部２のコイン投入口２ａについては暗い場合があり、特に、図６に示すようなコイン投入口部２として中央箇所が湾曲凹状に窪ませた形状にしたものが採用されている場合には、この湾曲凹状の中央箇所が影となって光が届き難くなるため、コイン投入口２ａの箇所が暗い傾向が顕著になる。
【０００８】
また、コイン投入口２ａが設けられているコイン投入口部２自体を透光性を有するプラスティックなどで構成し、コイン投入口部２の裏面から光を照射して発光させることも考えられるが、この場合には、コイン投入口部２自体の強度が低下してしまうので防犯上好ましくない。
【０００９】
本発明は上記課題を解決するもので、リング体だけでなく、窪んだコイン投入口部自体にも光を照射できる自動販売機のコイン投入口装置を提供することを目的とするものである。
【００１０】
【課題を解決するための手段】
上記課題を解決するために本発明に係る請求項１記載の自動販売機のコイン投入口装置は、中央箇所が湾曲凹状に窪み、この箇所にコイン投入口が開口されているコイン投入口部の外周に、透光性を有するリング体を配設し、このリング体に、コイン投入口部の湾曲凹状に窪んだ部分の少なくとも一部を覆うように延設された延設部を一体形成し、前記リング体内にこのリング体を発光させる光源を配設し、前記光源からの出射光の一部が、前記リング体の延設部を通してコイン投入口部の湾曲凹状部分に導入され、このコイン投入口部の湾曲凹状部分の面に反射して自動販売機の前面側に出射されるように構成したことを特徴とする。
【００１１】
この構成によれば、光源からの光によりリング体が発光するだけでなく、リング体の延設部を通してコイン投入口部の湾曲凹状部分に光が出射されて、窪んだコイン投入口部自体も明るく照らされるため、暗い環境でも利用者がコイン投入口を良好に視認できる。
【００１２】
請求項２記載の発明は、請求項１記載の自動販売機のコイン投入口装置において、光源がコイン投入口部における外周部の手前位置に配設されていることを特徴とする。
【００１３】
この構成によれば、光源が、コイン投入口部における外周部の手前位置、すなわち、延設部に極めて近い位置に配設されるので、光源からの光がリング体の延設部に導入され易くなり、コイン投入口部を照明する照度を大きくすることができる。また、光源からの光がコイン投入口部における外周部にも達しやすくなるため、コイン投入口部の外周部自体によっても光を反射させることができ、コイン投入口部を利用者に対してさらに良好に視認させることができる。
【００１４】
請求項３記載の発明は、請求項２記載の自動販売機のコイン投入口装置において、光源が複数設けられ、これらの光源が、リング体に内装される１枚の円形の基板に取り付けられ、これらの基板および光源がコイン投入口部における外周部の手前側位置に配設されていることを特徴とする。
【００１５】
この構成によれば、光源が複数ある場合でも、これらの光源が取り付けられた基板をリング体内に配設するだけで済み、光源のリング体への取り付け作業が極めて容易となる。また、基板および光源が、コイン投入口部における外周部の手前側位置に配設されているので、基板および光源をコイン投入口部よりも外側の部分に配置した場合と比べて、コイン投入口部およびリング体としての設置スペースを小さく済ますことができる。
【００１６】
【発明の実施の形態】
以下、本発明の実施の形態にかかる自動販売機のコイン投入口装置を図面に基づき説明する。なお、従来の自動販売機と同様な機能の構成要素には同符号を付し、その説明を省略する。
【００１７】
図１〜図４に示すように、この自動販売機においても、自動販売機の前面扉における接客面１ａに、硬貨を投入するコイン投入口２ａが形成されたコイン投入口部２や、投入した硬貨や紙幣を返却させるための返金レバー３などが設けられたコイン投入返却ユニット６が設けられている。コイン投入口部２は円形のステンレス板をプレス加工してコイン投入口２ａを開口させてなるもので構成され、硬貨をコイン投入口２ａに導入させ易くするために、その中央部２ｂが湾曲凹状に窪ませた形状に形成されている。また、このコイン投入口部２は、その中央部２ｂ、ならびに中央部２ｂよりも外周側の外周部２ｃの各表面は、光を反射する程度の目の細かい表面加工粗さに形成されている。なお、図１、図２における６ａはコイン投入返却ユニット６のユニットカバーである。
【００１８】
コイン投入口部６の外周には、透光性を有するリング体７が配設されている。このリング体７は、コイン投入口部２における外周部２ｃの手前位置に配設されている本体部７ａと、この本体部７ａの内側からコイン投入口部２の湾曲凹状に窪んだ中央部２ｂの外周寄り部分を覆うように延設された延設部７ｂと、後述する基板９への接続配線を自動販売機の前面扉内側に導く配線案内部７ｃとから構成され、これらが一体化されて形成されている。
【００１９】
また、リング体７内における本体部７ａの背面側箇所には収納用凹部７ｄが略円形溝状に形成され、この収納用凹部７ｄに、リング体７を発光させるＬＥＤからなる複数（この実施の形態では３つ）の光源８と、これらの光源８が前方に向くように取り付けた円板（リング）形状の基板９とが収納されている。なお、基板９は光源８の直径と略同等の狭い幅寸法に形成されており、光源８からの光Ｌ（図４（ｂ）参照）が、基板９であまり遮られることなく、後方側や側方側にも出射されるように構成されている。
【００２０】
また、リング体７は、その外周縁部がユニットカバー６ａのリング状突部６ｂで覆われて、接客面１ａに取り付けられるようになっている。つまり、前面扉内側の所定位置に固定された支持フレーム１０には、コイン投入返却ユニット６保持用の保持材１１が係止されており、また、自動販売機の接客面１ａをなすパネルに、コイン投入口部２とリング体７とを嵌め込んでこれらのコイン投入口部２とリング体７とを挟持させた状態でユニットカバー６ａが被せられ、前記保持材１１を通して、ユニットカバー６ａに形成された支持用ボス６ｃに結合用ねじ１２をねじ込むことで、コイン投入口部２や返金レバー３などが設けられたコイン投入返却ユニット６が取り付けられている。
【００２１】
上記構成において、光源８に通電されると、この光Ｌがリング体７を通して前方に出射されて発光するだけでなく、リング体７を通してその延設部７ｂからも出射される。また、リング体７の本体部７ａを通して、コイン投入口部２の外周部２ｃに反射したり、リング体７の延設部７ｂを通してコイン投入口部２の湾曲凹状の中央部２ｂに反射したりする。したがって、リング体７の本体部７ａだけでなく、コイン投入口部２の湾曲凹状の中央部２ｂに入り込んだ延設部７ｂからも発光し、さらに、リング体７の延設部７ｂを通して、リング体７の湾曲凹状の中央部２ｂで反射した光Ｌも前方に出射することとなる。
【００２２】
この結果、リング体７だけでなく、窪んだコイン投入口部２の中央部２ｂも明るく照らされ、暗い環境でも利用者は、コイン投入口２ａが形成されているコイン投入口部２の中央部２ｂを良好に視認できる。
【００２３】
また、この場合に、光源８が、コイン投入口部２よりも手前位置に配置されているので、光源８から斜め後方に出射される光Ｌもコイン投入口部２の外周部２ｃや中央部２ｂで反射し、コイン投入口部２自体が輝くような感じを利用者に与えることができ、視認性がさらに向上する。また、光源８とリング体７の延設部７ｂとが極めて近い位置に配設されるので、光源８からの光Ｌがリング体７の延設部７ｂに導入され易くなり、コイン投入口部２を照明する照度が大きくなる。
【００２４】
また、３つの光源８を、１枚の基板９に取り付けたので、光源８のリング体７への組付け作業も、光源８が取り付けられた基板９を、リング体７の収納用凹部７ｄに嵌め込むだけで済み、簡単に行うことができる。すなわち、基板を別途箇所に配設し、この箇所から接続配線を介して接続された３つの光源を、それぞれ別個に設けた収納箇所に個別に嵌めこむ場合には、多くの手間がかかるとともに、光源自体も小さいので取り扱いが困難となりやすいが、このような不具合も生じない。
【００２５】
さらに、これらの基板９および光源８がコイン投入口部２における外周部２ｃの手前側位置に配設されているので、基板および光源をコイン投入口部２よりも外側の部分に配置した場合と比べて、コイン投入口部２およびリング体７としての設置スペースを小さく済ますことができる利点もある。
【００２６】
また、基板９および光源８をコイン投入口部２における外周部２ｃの手前側位置に配設するに際し、リング体７の内周側に伸びる延設部７ｂを形成したことにより、リング体７自体の幅を広めに形成できるため、基板９および光源８を埋め込むスペースを、余裕を持って得ることができる。
【００２７】
なお、リング体７の収納用凹部７ｄにおける特に光源８を収納する内面の箇所に多面状のカッティング処理（いわゆるダイヤカット）を施して、光源８からの光Ｌが、多方向に拡散し易いようにしてもよく、これによれば、さらに、光源８からの光Ｌがコイン投入口部２に入射して反射し易くなって、コイン投入口部２が目立つことになる。
【００２８】
【発明の効果】
以上のように本発明によれば、コイン投入口部の外周に配設した透光性を有するリング体に、コイン投入口部の湾曲凹状に窪んだ部分の少なくとも一部を覆うように延設された延設部を一体形成し、光源からの出射光の一部が、前記リング体の延設部を通してコイン投入口部の湾曲凹状部分に導入され、このコイン投入口部の湾曲凹状部分の面に反射して自動販売機の前面側に出射されるように構成したことにより、光源からの光により、窪んだコイン投入口部自体も明るく照らされるため、暗い環境でも利用者がコイン投入口を良好に視認できる。また、コイン投入口部として、透光性を有しない従来と同様の金属板などを用いることができるため、コイン投入口部の強度が低下するなどの不具合も生じない。
【００２９】
さらに、光源をコイン投入口部における外周部の手前位置に配設することで、光源からの光がリング体の延設部に導入され易くなり、コイン投入口部を照明する照度を大きくすることができ、また、コイン投入口部の外周部自体によっても光を反射させることができ、コイン投入口部を利用者に対してさらに良好に視認させることができる。
【００３０】
また、複数の光源を、リング体に内装される１枚の円形の基板に取り付け、これらの光源が取り付けられた基板をリング体内に配設するように構成したことで、光源のリング体への取り付け作業が極めて容易となり、作業能率が向上する。また、基板および光源が、コイン投入口部における外周部の手前側位置に配設されているので、コイン投入口部およびリング体としての設置スペースを小さく済ますことができる。
【図面の簡単な説明】
【図１】本発明の実施の形態にかかる自動販売機のコイン投入口装置の正面図である。
【図２】同コイン投入口装置の側面断面図である。
【図３】（ａ）は同コイン投入口装置のコイン投入口部の正面図、（ｂ）は同コイン投入口装置のリング体の正面図、（ｃ）は同コイン投入口装置のコイン投入口部が設けられている箇所の正面図である。
【図４】（ａ）および（ｂ）は同コイン投入口装置のコイン投入口部と基板と光源とリング体との分解断面平面図および組付け断面平面図である。
【図５】従来の自動販売機の全体斜視図である。
【図６】従来の自動販売機のコイン投入口装置の側面断面図である。
【図７】（ａ）および（ｂ）は従来のコイン投入口装置の正面図および側面断面図である。
【符号の説明】
１ａ      接客面
２        コイン投入口部
２ａ      コイン投入口
２ｂ      中央部
２ｃ      外周部
６        コイン投入返却ユニット
６ａ      ユニットカバー
６ｂ      ユニットカバー
７        リング体
７ａ      本体部
７ｂ      延設部
７ｃ      配線案内部
７ｄ      収納用凹部
８        光源
９        基板
Ｌ        光
【図１】
2004157791.tif 000003
【図２】
2004157791.tif 000004
【図３】
2004157791.tif 000005
【図４】
2004157791.tif 000006
【図５】
2004157791.tif 000007
【図６】
2004157791.tif 000008
【図７】
2004157791.tif 000009